(57)【要約】【課題】マンホールからの搬入や設置が容易で、復水器逆洗弁の周辺を安全に歩行することができる弁箱内歩廊を提供することである。【解決手段】配管マンホールから循環水配管内に搬入されて、循環水配管が交差する復水器逆洗弁の弁箱底面に複数個敷き詰められ、復水器逆洗弁の弁箱内に作業者が移動する際に使用される歩廊立体であり、歩廊立体の上面部２０は平面状に形成され、上面部２０と反対側の復水器逆洗弁の弁箱底面と接する底面部１９には弁箱底面の曲率を基準とした曲面部が形成される。また、底面部１９から上面部２０までの高さＨは復水器逆洗弁の弁箱底面から循環水配管の入口側の高さとほぼ同じ高さになるように形成され、配管マンホールから搬入できる大きさに形成されている。【選択図】  図１
2008240450.tif 000002
【特許請求の範囲】
【請求項１】
配管マンホールから循環水配管内に搬入されて、循環水配管が交差する復水器逆洗弁の弁箱底面に複数個敷き詰められ、前記復水器逆洗弁の弁箱内に作業者が移動する際に使用される歩廊立体であり、前記歩廊立体の上面部は平面状に形成され、前記上面部と反対側の前記復水器逆洗弁の弁箱底面と接する底面部には弁箱底面の曲率を基準とした曲面部が形成され、前記底面部から前記上面部までの高さは前記復水器逆洗弁の弁箱底面から循環水配管の入口側の高さとほぼ同じ高さになるように形成され、前記配管マンホールから搬入できる大きさに形成されたことを特徴とする弁箱内歩廊。
【請求項２】
前記歩廊立体の面の少なくとも１つは、配管マンホール開口面から搬入できる大きさとし、前記歩廊立体の最長部の長さは前記配管マンホールが設置された配管直径未満で、復水器逆洗弁の弁体半径以下とし、歩廊立体の上面部の幅は前記弁箱底面に設置する個数が最少となる長さとしたことを特徴とする請求項１記載の弁箱内歩廊。
【発明の詳細な説明】
【技術分野】
【０００１】
本発明は、循環水配管が交差する復水器逆洗弁の弁箱底面に複数個敷き詰められ、作業者が弁箱で交差している循環水配管から他の循環水配管に移動する際に使用される弁箱内歩廊に関する。
【背景技術】
【０００２】
火力発電プラントや原子力発電プラントでは、復水器の冷却水として海水を利用している。海から海水を取水して復水器を冷却し、復水器を冷却した後の海水を海に放水する冷却水系統を構成する配管は、循環水配管と呼ばれており、その循環水配管の口径は、プラントの容量にもよるが直径１，５００ｍｍを越えるものが一般的である。
【０００３】
このような循環水配管は、長時間使用すると配管内面に貝などの海生生物が育成し、放置しておくと海水の流れを妨げプラントの効率に影響を及ぼすことになる。また、育成しきった貝などの海生生物の大きな固まりが配管から剥がれ復水器に流入した場合は、大きなトラブルにつながる恐れがある。そのため、定期的に点検し、プラント効率低下やトラブル防止に努めている。
【０００４】
このように、循環水配管はプラントにとって重要な機能を担う設備であるため的確な点検修理による長期利用が求められる。循環水配管内面を点検するにあたっては、配管マンホールから作業員が入り点検作業を実施している。循環水系統には、配管に付着したゴミ等を除去するため海水の流れ方向を変えるための復水器逆洗弁が循環水配管が交差する位置に設けられており（例えば、特許文献１参照）、循環水系統の点検作業の際には、この循環水配管が交差する復水器逆洗弁の周辺を歩行する必要が生じる。
【特許文献１】特開平１０−３８１００号公報
【発明の開示】
【発明が解決しようとする課題】
【０００５】
しかし、点検作業を実施するにあたり作業員が復水器逆洗弁の周辺を歩行することには危険が伴う。すなわち、復水器逆洗弁の弁箱内部の底面は鍋底上に湾曲した曲面で傾斜が急な上、汚れや水分で滑りやすくなっており歩行に危険が伴う。そこで、足場を設置することが考えられるが、復水器逆洗弁の弁箱内部は保護塗装（ライニング）が施されているので、この保護塗装を傷つけないようにしなければならないことから、足場の設置は困難である。
【０００６】
また、循環水配管の各所にマンホール（作業員出入口）を設置すれば、復水器逆洗弁の弁箱内部の歩行移動を避けることができるが、多くのマンホールを設置すると、マンホールの開／閉の作業が増え、作業員の安全管理が複雑となるので、作業能率や安全性の観点からマンホールの設置は最小限にしておくことが望ましい。
【０００７】
本発明の目的は、マンホールからの搬入や設置が容易で、復水器逆洗弁の周辺を安全に歩行することができる弁箱内歩廊を提供することである。
【課題を解決するための手段】
【０００８】
請求項１の発明に係わる弁箱内歩廊は、配管マンホールから循環水配管内に搬入されて、循環水配管が交差する復水器逆洗弁の弁箱底面に複数個敷き詰められ、前記復水器逆洗弁の弁箱内に作業者が移動する際に使用される歩廊立体であり、前記歩廊立体の上面部は平面状に形成され、前記上面部と反対側の前記復水器逆洗弁の弁箱底面と接する底面部には弁箱底面の曲率を基準とした曲面部が形成され、前記底面部から前記上面部までの高さは前記復水器逆洗弁の弁箱底面から循環水配管の入口側の高さとほぼ同じ高さになるように形成され、前記配管マンホールから搬入できる大きさに形成されたことを特徴とする。
【０００９】
請求項２の発明に係わる弁箱内歩廊は、請求項１の発明において、前記歩廊立体の面の少なくとも１つは、配管マンホール開口面から搬入できる大きさとし、前記歩廊立体の最長部の長さは前記配管マンホールが設置された配管直径未満で、復水器逆洗弁の弁体半径以下とし、歩廊立体の上面部の幅は前記弁箱底面に設置する個数が最少となる長さとしたことを特徴とする。
【発明の効果】
【００１０】
本発明によれば、弁箱内歩廊の上面部は平面状に形成され、復水器逆洗弁の弁箱底面と接する底面部には弁箱底面の曲率を基準とした曲面部が形成しているので、弁箱内歩廊を復水器逆洗弁の弁箱底面に敷き詰めると、弁箱内歩廊の底面部と復水器逆洗弁の弁箱底面の湾曲部とが勘合するので、弁箱内歩廊の上面部をほぼ平坦にすることができる。また、底面部から上面部までの高さは復水器逆洗弁の弁箱底面から循環水配管の入口側の高さとほぼ同じ高さに形成されているので、復水器逆洗弁の周辺を安全に歩行できる。
【００１１】
また、歩廊立体の面の少なくとも１つは、配管マンホール開口面から搬入できる大きさとし、歩廊立体の最長部の長さは配管マンホールが設置された配管直径未満で、復水器逆洗弁の弁体半径以下とするので、配管マンホールからの搬入や持ち運びあるいは配置を容易にし、かつ復水器逆洗弁の弁箱底面に設置する弁箱内歩廊の個数を少なくしつつ、復水器逆洗弁の弁箱入口から復水器逆洗弁の弁体までの間を平坦にできる。
【発明を実施するための最良の形態】
【００１２】
図１は本発明の実施の形態に係わる弁箱内歩廊の斜視図、図２は復水器逆洗弁の弁箱に弁箱内歩廊を敷き詰め配置した状態の説明図、図３は配管マンホールから弁箱内歩廊を搬入する場合の状態の説明図、図４は復水器逆洗弁の説明図である。
【００１３】
まず、復水器逆洗弁について説明する。復水器逆洗弁は循環水系統の配管に設けられ、復水器冷却管に付着したゴミ等を除去するために、海水の流れ方向を変えるものであり、復水器逆洗弁が設置される弁箱内では循環水配管が交差している。
【００１４】
図４（ａ）に示すように、復水器逆洗弁１１の弁箱１２内部では循環水配管１３ａ〜１３ｄが交差しており、復水器逆洗弁１１の弁体１４の回動位置により、復水器１５への冷却水である海水の流れを変えている。図４（ａ）では通常時の状態を示している。
【００１５】
通常時には、図４（ａ）の点線に示すように、復水器逆洗弁１１の弁箱１２の海水入口１６から海水が弁箱１２に流入し、循環水配管１３ｂを通って復水器１５の冷却管内に流れ込み、その冷却管を出た海水は、さらに循環水配管１３ｄを通って再び復水器逆洗弁１１の弁箱１２に流れ込み海水出口１７に流出する。
【００１６】
一方、逆洗時には弁体１４の回動により、復水器１５の冷却管に冷却水である海水が逆方向から流れ込む。すなわち、図４（ｂ）の点線で示すように、復水器逆洗弁１１の弁箱１２の海水入口１６から海水が弁箱１２に流入し、循環水配管１３ｄを通って復水器１５の冷却管に逆方向から海水が流れ込み、その冷却管を出た海水は、さらに循環水配管１３ｂを通って再び復水器逆洗弁１１の弁箱１２に流れ込み海水出口１７に流出する。
【００１７】
このような復水器逆洗弁１１の弁箱１２の底面は、鍋底状に湾曲した曲面となっている。本発明の弁箱内歩廊は、復水器逆洗弁１１の弁箱１２の底面に敷き詰めて、鍋底状に湾曲した曲面を平坦にするものであり、これにより、復水器逆洗弁の周辺を安全に歩行できるようにしたものである。
【００１８】
次に、本発明の実施の形態に係わる弁箱内歩廊について説明する。図１に示すように、弁箱内歩廊１８は直方体の１面を所定の曲率Ｒで削り取って曲面部を形成した５面体であり、この曲面部を底面部１９としている。この底面部１９は、弁箱内歩廊１８を復水器逆洗弁１１の弁箱底面に敷き詰めたとき、復水器逆洗弁１１の弁箱底面と接する面である。この底面部１９の反対側が弁箱内歩廊１８の上面部２０となり、弁箱内歩廊１８を復水器逆洗弁１１の弁箱底面に敷き詰めたときに作業員が歩行する面となる。
【００１９】
底面部１９の曲面部には、復水器逆洗弁１１の中心部から弁箱底面までの曲率を基準とした曲面が形成されている。すなわち、復水器逆洗弁１１の弁箱底面と接する面の曲面形状は、弁体１４の回転軸を中心とする球面ではなく、弁箱底面の曲率Ｒを基準に形成した曲面としている。これは、底面部１９の曲面形状を容易に製作できるようにするためである。また、すべての歩廊を同じ形状にすることにより、狭い作業環境において各々の歩廊の位置決めをする手間がなく、簡単に配置が可能となる。
【００２０】
底面部１９の曲面形状を球面としなかったことに伴い、弁箱内歩廊１８の底面部１９と復水器逆洗弁１１の弁箱底面の湾曲部とは、完全に一致して勘合しないが、底面部１９の曲面形状はほぼ球面に近似できるので、弁箱内歩廊の上面部２０をほぼ平坦にすることができる。
【００２１】
次に、弁箱内歩廊１８の大きさについて説明する。弁箱内歩廊１８の大きさは、幅の長さＷ、奥行きの長さＬ、底面部１９の高さＨで決まり、底面部１９の長さＣは、復水器逆洗弁１１の中心部の曲率Ｒが決まっているので、奥行きの長さＬ及び底面部１９の高さＨが決まれば決まる。
【００２２】
ここで、弁箱内歩廊１８は、図２（ａ）に示すように、復水器逆洗弁１１の弁箱底面に敷き詰められて使用されるので、配管マンホールから循環水配管内に搬入可能な大きさでなければならない。また、復水器逆洗弁１１の弁箱１２で交差する循環水配管に向かって作業員が安全に歩行できるものでなければならないので、弁箱内歩廊１８の底面部１９の高さＨ（底面部１９と上面部２０との間の距離のうち最大距離）は、弁箱内歩廊１８を復水器逆洗弁１１の弁箱底面に敷き詰めたときに、弁箱内歩廊１８の上面部２０が循環水配管の入口側の高さとほぼ同じ高さになるように形成されていることが望ましい。
【００２３】
そこで、弁箱内歩廊１８の大きさを決定するにあたっては、まず、弁箱内歩廊１８の底面部１９の高さＨを決定する。弁箱内歩廊１８の底面部１９の高さＨは、図２（ｂ）に示すように、弁箱内歩廊１８の上面部２０の高さが復水器逆洗弁１１の循環水配管の入口側の高さとほぼ同じ高さになるように決定する。つまり図２（ｂ）のＡ１、Ａ２部分の高さがほぼ同じ高さになるように弁箱内歩廊１８の底面部１９の高さＨを決定する。これにより、復水器逆洗弁１１の弁箱１２で交差する循環水配管に向かって作業員が安全に歩行できる条件を満たす。
【００２４】
次に、弁箱内歩廊１８の幅Ｗの長さや奥行きＬの長さを決定する。まず、弁箱内歩廊１８の幅Ｗは、図３（ａ）に示すように、配管マンホール２１の入口直径Ｅ未満とする。弁箱内歩廊１８の幅Ｗは、弁箱内歩廊１８の底面部１９の高さＨにより配管マンホール２１内に搬入できる長さが異なってくる。弁箱内歩廊１８の底面部１９の高さＨの大きさが決まれば、配管マンホール２１の入口直径Ｅにより、弁箱内歩廊１８の幅Ｗの大きさは決まる。つまり、弁箱内歩廊１８の幅Ｗと底面部１９の高さＨとの対角線が配管マンホール２１の入口直径Ｅ未満となるように弁箱内歩廊１８の幅Ｗを決める。
【００２５】
この場合、以上の要件を満たす弁箱内歩廊１８の幅Ｗのうち最大の大きさとする。そして、図２（ａ）に示す復水器逆洗弁１１の弁体１４方向の復水器逆洗弁１１の弁箱底面の長さＪを幅Ｗで除算して弁箱内歩廊１８の個数を求める。これにより、復水器逆洗弁１１の弁箱底面に設置する弁箱内歩廊１８の個数を最少とすることができる。
【００２６】
次に、弁箱内歩廊１８の奥行きＬは、図２（ａ）に示すように、望ましくは復水器逆洗弁１１の弁箱入口から復水器逆洗弁１１の弁体１４までの距離Ｆとする。もし、復水器逆洗弁１１の弁箱入口から復水器逆洗弁１１の弁体１４までの距離Ｆが長い場合には、図３（ｂ）に示すように、弁箱内歩廊１８の奥行きＬは、配管マンホール２１が設置された配管２２の直径Ｇより未満とする。これにより、弁箱内歩廊１８は配管マンホール２１から搬入できる。
【００２７】
また、弁箱内歩廊１８の材質としては、軽量で加工しやすく、かつ摩擦力があり復水器逆洗弁１１の弁箱内部を傷つけないものを用いる。例えば、中圧縮強度型の発泡スチロールを用いる。これにより、弁箱内歩廊１８の曲面部１９の加工が容易で、配管マンホール２１からの搬入も容易に行うことができ、復水器逆洗弁１１の弁箱内部を傷つけることがない。しかも、摩擦力があるので作業員の歩行の際に滑って転倒することを防止できる。
【００２８】
本発明の実施の形態によれば、作業員の歩行に十分な強度を持ち、配管内面を傷つけず、かつ接地面が摩擦力のある素材、例えば中圧縮強度型の発泡スチロールを用いるので、配管マンホール２１からの搬入も容易に行える。
【００２９】
また、復水器逆洗弁１１の弁箱底面と接する底面部には復水器逆洗弁１１の中心部から弁箱底面までの曲率を基準とした曲面部を形成しているので、弁箱内歩廊１８の形状を同一の形状に統一でき、しかも、弁箱内歩廊１８を復水器逆洗弁１１の弁箱底面に敷き詰めたときに、弁箱内歩廊１８の上面部２０が循環水配管の入口側の高さとほぼ同じ高さになるので、復水器逆洗弁１１の弁箱内部の足場の悪さを解消できる。
【図面の簡単な説明】
【００３０】
【図１】本発明の実施の形態に係わる弁箱内歩廊の斜視図。
【図２】復水器逆洗弁の弁箱に弁箱内歩廊を敷き詰め配置した状態の説明図。
【図３】配管マンホールから弁箱内歩廊を搬入する場合の状態の説明図。
【図４】復水器逆洗弁の説明図。
【符号の説明】
【００３１】
１１…復水器逆洗弁、１２…弁箱、１３…循環水配管、１４…弁体、１５…復水器、１６…海水入口、１７…海水出口、１８…弁箱内歩廊、１９…底面部、２０…上面部、２１…配管マンホール、２２…配管
【図１】
2008240450.tif 000003
【図２】
2008240450.tif 000004
【図３】
2008240450.tif 000005
【図４】
2008240450.tif 000006